(57)【要約】【課題】プロジェクタ型前照灯を左側通行にも右側通行にも使用できるようにする。【解決手段】プロジェクタ型前照灯１が、楕円面状の反射面２１を有するリフレクタ２０と、第一焦点Ｆ１近傍に配置された光源１０と、反射面２１で反射された反射光の一部を遮光するシェード装置４０と、第二焦点４０よりも前側に配置され、遮光されていない反射光を前方に投影するレンズ３０と、を備える。シェード装置４０が、第二焦点Ｆ２近傍に配置され、左右方向に延びる水平な上縁５１を有する遮光部５０と、第二焦点Ｆ２近傍であって光軸の左側で上縁５１から上に突き出た状態と、上縁５１から下に引き込んだ状態とに移動可能に設けられた左遮光部６０と、第二焦点Ｆ２近傍であって光軸の右側で上縁５１から上に突き出た状態と、上縁５１から下に引き込んだ状態とに移動可能に設けられた右遮光部７０と、を有する。【選択図】図２
2011082002.tif 000002
【特許請求の範囲】
【請求項１】
楕円面状の反射面を有するリフレクタと、
前記反射面の第一焦点近傍に配置された光源と、
前記反射面で反射された反射光の一部を前記反射面の第二焦点近傍で遮光するシェード装置と、
前記第二焦点よりも前側に配置され、前記シェード装置によって遮光されていない反射光を前方に投影するレンズと、を備え、
前記シェード装置が、
前記第二焦点近傍に配置され、左右方向に延びる水平な上縁を有する遮光部と、
前記第二焦点近傍であって前記反射面の光軸の左側で前記上縁から上に突き出た突出状態と、前記上縁から下に引き込んだ引込状態とに移動可能に設けられた左遮光部と、
前記第二焦点近傍であって前記反射面の光軸の右側で前記上縁から上に突き出た突出状態と、前記上縁から下に引き込んだ引込状態とに移動可能に設けられた右遮光部と、を有することを特徴とするプロジェクタ型前照灯。
【請求項２】
前記左遮光部が、左右方向に延びる左部上エッジと、前記左部上エッジの右端から右に向かって下りに傾斜した第一傾斜エッジと、を有し、
前記左遮光部が突出状態にある場合に、前記左部上エッジが前記上縁よりも上において前記上縁に対して平行とされ、前記反射面の光軸方向に見て前記第一傾斜エッジが前記上縁に交差するとともに前記上縁に対して傾斜し、
前記左遮光部が引込状態にある場合に、前記左部上エッジと前記第一傾斜エッジの交差部が前記上縁よりも下に位置することを特徴とする請求項１に記載のプロジェクタ型前照灯。
【請求項３】
前記右遮光部が、左右方向に延びる右部上エッジと、前記右部上エッジの左端から左に向かって下りに傾斜した第二傾斜エッジと、を有し、
前記右遮光部が突出状態にある場合に、前記右部上エッジが前記上縁よりも上において前記上縁に対して平行とされ、前記反射面の光軸方向に見て前記第二傾斜エッジが前記上縁に対して前記上縁に交差するとともに前記上縁に対して傾斜し、
前記右遮光部が引込状態にある場合に、前記右部上エッジと前記第２傾斜エッジの交差部が前記上縁よりも下に位置することを特徴とする請求項１又は２に記載のプロジェクタ型前照灯。
【請求項４】
前記シェード装置が、前記左遮光部及び前記右遮光部を突出状態から引込状態及びその逆に駆動する駆動機構を更に有することを特徴とする請求項１から３の何れか一項に記載のプロジェクタ型前照灯。
【請求項５】
前記駆動機構が、前記左遮光部及び前記右遮光部のうち一方を突出状態に保つとともに、他方を引込状態に保つことを特徴とする請求項４に記載のプロジェクタ型前照灯。
【請求項６】
前記駆動機構が、前記左遮光部及び前記右遮光部のうち一方を突出状態から引込状態に駆動する時に、他方を突出状態から引込状態に駆動することを特徴とする請求項４又は５に記載のプロジェクタ型前照灯。
【請求項７】
前記駆動機構が、前記左遮光部及び前記右遮光部のうち一方を突出状態に保った状態で他方を引込状態から突出状態に駆動した後、その他方を突出状態に保った状態でその一方を突出状態から引込状態に駆動することを特徴とする請求項４又は５に記載のプロジェクタ型前照灯。
【請求項８】
楕円面状の反射面の第一焦点に配置された光源から発して前記反射面で反射された反射光の一部を前記反射面の第二焦点近傍で遮光するシェード装置であって、
前記反射面の第二焦点近傍に配置され、左右方向に延びる水平な上縁を有する遮光部と、
前記第二焦点近傍であって前記反射面の光軸の左側で前記上縁から上に突き出た突出状態と、前記上縁から下に引き込んだ引込状態とに移動可能に設けられた左遮光部と、
前記第二焦点近傍であって前記反射面の光軸の右側で前記上縁から上に突き出た突出状態と、前記上縁から下に引き込んだ引込状態とに移動可能に設けられた右遮光部と、を備えることを特徴とするシェード装置。
【発明の詳細な説明】
【技術分野】
【０００１】
本発明は、プロジェクタ型前照灯及びシェード装置に関し、特に左側通行・右側通行の何れにも利用できるプロジェクタ型前照灯及びシェード装置に関する。
【背景技術】
【０００２】
従来、プロジェクタ型前照灯では、光源がリフレクタの楕円反射面の第一焦点近傍に設けられ、シェードが第二焦点近傍に設けられ、投影レンズが第二焦点の前方に設けられている（例えば、特許文献１、特許文献２参照）。このようなプロジェクタ型前照灯では、光源から発した光が楕円反射面で反射され、反射光が第二焦点に集光され、反射光の一部がシェードによって遮光され、遮光されない反射光が投影レンズによって前方に投影される。シェードによって反射光の一部が遮光されることによって、すれ違い走行用の配光パターン、つまり、ロービームが形成される。ロービームの配光パターンでは、対向車線側で上向きの光がなく、自車線側で上向きの光がある。これにより、対向車にとってはグレアの発生を抑えることができるとともに、自車にとっては自車線側の路肩にある標識や通行人を視認しやすくすることができる。
【先行技術文献】
【特許文献】
【０００３】
【特許文献１】特開平８−２４１６０２号公報
【特許文献２】特開平５−３４７１０１号公報
【発明の概要】
【発明が解決しようとする課題】
【０００４】
ところで、右側通行の国と左側通行の国がある。異なる通行規則の国に乗り入れた場合、上向きの光が対向車線側になり、対向車にとってグレアが発生し、多大な迷惑を与えてしまう。
そこで、本発明が解決しようとする課題は、プロジェクタ型前照灯を左側通行にも右側通行にも使用できるようにすることである。
【課題を解決するための手段】
【０００５】
以上の課題を解決するため、本発明に係るプロジェクタ型前照灯は、楕円面状の反射面を有するリフレクタと、前記反射面の第一焦点近傍に配置された光源と、前記反射面で反射された反射光の一部を前記反射面の第二焦点近傍で遮光するシェード装置と、前記第二焦点よりも前側に配置され、前記シェード装置によって遮光されていない反射光を前方に投影するレンズと、を備え、前記シェード装置が、前記第二焦点近傍に配置され、左右方向に延びる水平な上縁を有する遮光部と、前記第二焦点近傍であって前記反射面の光軸の左側で前記上縁から上に突き出た突出状態と、前記上縁から下に引き込んだ引込状態とに移動可能に設けられた左遮光部と、前記第二焦点近傍であって前記反射面の光軸の右側で前記上縁から上に突き出た突出状態と、前記上縁から下に引き込んだ引込状態とに移動可能に設けられた右遮光部と、を有することとした。
【０００６】
また、本発明に係るシェード装置は、楕円面状の反射面の第一焦点に配置された光源から発して前記反射面で反射された反射光の一部を前記反射面の第二焦点近傍で遮光するシェード装置であって、前記反射面の第二焦点近傍に配置され、左右方向に延びる水平な上縁を有する遮光部と、前記第二焦点近傍であって前記反射面の光軸の左側で前記上縁から上に突き出た突出状態と、前記上縁から下に引き込んだ引込状態とに移動可能に設けられた左遮光部と、前記第二焦点近傍であって前記反射面の光軸の右側で前記上縁から上に突き出た突出状態と、前記上縁から下に引き込んだ引込状態とに移動可能に設けられた右遮光部と、を備えることとした。
【０００７】
好ましくは、前記左遮光部が、左右方向に延びる左部上エッジと、前記左部上エッジの右端から右に向かって下りに傾斜した第一傾斜エッジと、を有し、前記左遮光部が突出状態にある場合に、前記左部上エッジが前記上縁よりも上において前記上縁に対して平行とされ、前記反射面の光軸方向に見て前記第一傾斜エッジが前記上縁に交差するとともに前記上縁に対して傾斜し、前記左遮光部が引込状態にある場合に、前記左部上エッジと前記第一傾斜エッジの交差部が前記上縁よりも下に位置することとした。
【０００８】
好ましくは、前記右遮光部が、左右方向に延びる右部上エッジと、前記右部上エッジの左端から左に向かって下りに傾斜した第二傾斜エッジと、を有し、前記右遮光部が突出状態にある場合に、前記右部上エッジが前記上縁よりも上において前記上縁に対して平行とされ、前記反射面の光軸方向に見て前記第二傾斜エッジが前記上縁に対して前記上縁に交差するとともに前記上縁に対して傾斜し、前記右遮光部が引込状態にある場合に、前記右部上エッジと前記第２傾斜エッジの交差部が前記上縁よりも下に位置することとした。
【０００９】
好ましくは、前記シェード装置が、前記左遮光部及び前記右遮光部を突出状態から引込状態及びその逆に駆動する駆動機構を更に有することとした。
【００１０】
好ましくは、前記駆動機構が、前記左遮光部及び前記右遮光部のうち一方を突出状態に保つとともに、他方を引込状態に保つこととした。
【００１１】
好ましくは、前記駆動機構が、前記左遮光部及び前記右遮光部のうち一方を突出状態から引込状態に駆動する時に、他方を突出状態から引込状態に駆動することした。
【００１２】
好ましくは、前記駆動機構が、前記左遮光部及び前記右遮光部のうち一方を突出状態に保った状態で他方を引込状態から突出状態に駆動した後、その他方を突出状態に保った状態でその一方を突出状態から引込状態に駆動することとした。
【発明の効果】
【００１３】
本発明によれば、左遮光部が引込状態であり、右遮光部が突出状態であると、右側が上向きの配光パターンが形成されるので、右側通行に適している。一方、左遮光部が突出状態であり、右遮光部が引込状態であると、左側が上向きの配光パターンが形成されるので、左側通行に適している。従って、右側通行用の配光パターンと左側通行用の配光パターンを切り替えることができ、右側通行にも左側通行にも使用することができるプロジェクタ型前照灯を提供することができる。
【図面の簡単な説明】
【００１４】
【図１】本発明の第一実施形態におけるプロジェクタ型前照灯の垂直断面図である。
【図２】同実施形態におけるシェード装置の正面図である。
【図３】同実施形態におけるシェード装置の正面図である。
【図４】同実施形態におけるシェード装置の上面図である。
【図５】同実施形態におけるシェード装置の一部を拡大して示した正面図である。
【図６】同実施形態におけるプロジェクタ型前照灯により仮想スクリーンに形成される配光パターンを示した図である。
【図７】本発明の第二実施形態におけるシェード装置の正面図である。
【図８】本発明の第三実施形態におけるシェード装置の正面図である。
【図９】同実施形態におけるシェード装置の正面図である。
【図１０】同実施形態におけるシェード装置の正面図である。
【図１１】本発明の第四実施形態におけるシェード装置の正面図である。
【図１２】同実施形態におけるシェード装置の正面図である。
【図１３】本発明の第五実施形態におけるシェード装置の正面図である。
【図１４】同実施形態におけるシェード装置の一部を拡大して示した正面図である。
【図１５】同実施形態におけるシェード装置の正面図である。
【図１６】同実施形態におけるシェード装置の一部を拡大して示した正面図である。
【図１７】同実施形態におけるシェード装置の正面図である。
【図１８】同実施形態におけるシェード装置の一部を拡大して示した正面図である。
【図１９】変形例におけるシェード装置の上面図である。
【発明を実施するための形態】
【００１５】
以下に、本発明を実施するための形態について図面を用いて説明する。但し、以下に述べる実施形態には、本発明を実施するために技術的に好ましい種々の限定が付されているが、発明の範囲を以下の実施形態及び図示例に限定するものではない。
また、以下の説明において、「上」、「下」、「前」、「後」、「左」、「右」は、それぞれ、プロジェクタ型前照灯が装備された車両の「上」、「下」、「前」、「後」、「左」、「右」である。
【００１６】
〔第１の実施の形態〕
図１は、プロジェクタ型前照灯１の垂直断面図である。プロジェクタ型前照灯１は、光源１０、リフレクタ２０、投影レンズ３０及びシェード装置４０を備える。これらリフレクタ２０、投影レンズ３０及びシェード装置４０はハウジングに取り付けられて、これら光源１０、リフレクタ２０、投影レンズ３０及びシェード装置４０がユニット化されている。
【００１７】
リフレクタ２０が略椀状に設けられ、そのリフレクタ２０が前方に向けて開口している。リフレクタ２０の前側の凹面にはアルミ蒸着、銀塗装等の反射膜が施されていて、反射面２１が形成されている。反射面２１は、楕円面の形状に形成されている。楕円面とは、回転楕円面若しくは複合楕円面又はこれらを基調とした自由曲面をいう。複合楕円面とは、その垂直断面形状が楕円形状を成し、その水平断面形状が放物線又は楕円形状（垂直断面の楕円形状の焦点距離と水平断面の楕円形状の焦点距離が異なる。）で成すものをいう。
【００１８】
反射面２１が楕円面に形成されているので、その反射面２１が第一焦点Ｆ１と、第一焦点Ｆ１よりも前側の第二焦点Ｆ２と、光軸Ａｘ１とを有する。なお、反射面２１が複合楕円面又はそれを基調とした自由曲面に形成されている場合には、第二焦点Ｆ２は焦線をいう。焦線は水平左右方向に延びるとともに、左右方向中央部が後ろに凸となるよう湾曲している。
【００１９】
反射面２１の頂点には、光軸Ａｘ１に沿う装着孔２２が形成されている。光源１０が装着孔２２に通され、その光源１０がソケット等の固定具１１によってリフレクタ２０に取り付けられている。この光源１０は、反射面２１の第一焦点Ｆ１又はその近傍に配置されている。この光源１０は、放電灯（例えば、高輝度放電灯（ＨＩＤ）、高圧金属蒸気放電灯等）、半導体発光素子（例えば、発光ダイオード）、ハロゲン電球、白熱電球その他の光源である。
【００２０】
反射面２１は光源１０から発した光を前に向けて反射させ、反射光を第二焦点Ｆ２に集光する。第二焦点Ｆ２の近傍にはシェード装置４０が設けられている。シェード装置４０は、反射面２１によって反射された反射光の一部を第二焦点Ｆ２近傍で遮光する。
【００２１】
シェード装置４０の前には、投影レンズ３０が配設されている。この投影レンズ３０は、凸レンズである。投影レンズ３０の焦点が反射面２１の第二焦点Ｆ２又はその近傍に位置するよう、投影レンズ３０が配置されている。投影レンズ３０の光軸が反射面２１の光軸に揃っていてもよいし、僅かにずれていてもよい。投影レンズ３０は、遮光されていない反射光を前方に投影する。
【００２２】
図２、図３は、投影レンズ３０から光源１０に向かって見た場合のシェード装置４０の正面図である。図４は、シェード装置４０の上面図である。
シェード装置４０は、遮光板５０、左遮光部６０及び右遮光部７０を有する。
【００２３】
遮光板５０は、その一方の面が前に向き、その他方の面が後ろに向いたで状態で配設されている。遮光板５０は、第二焦点Ｆ２の下に配置されている。遮光板５０の前後方向の位置は、第二焦点Ｆ２の前後方向の位置又はその近傍にある。遮光板５０は上縁５１を有する。この上縁５１は、左右方向に延びるとともに、水平に設けられている。上縁５１の上下位置は、光軸Ａｘ１に揃っているか、又は光軸Ａｘ１よりも僅かに下にある。
【００２４】
左遮光部６０は、左右方向に長尺な薄板状に設けられている。左遮光部６０の一方の面が前に向き、他方の面が後ろに向くとともに遮光板５０の前面に接触している。左遮光部６０の左端部が、光軸Ａｘ１よりも左にある回転軸６１によって遮光板５０の左上角部に連結されている。左遮光部６０が回転軸６１から右方へ延出し、回転軸６１が前後方向に対して平行に設けられ、左遮光部６０が回転軸６１を中心にして上下に揺動可能に設けられている。
【００２５】
左遮光部６０は、その上縁に、左部上エッジ６２、第一傾斜エッジ６３及び第一エルボ６４を有する。左部上エッジ６２が、反射面２１の光軸Ａｘ１の左側において左右方向に延びているとともに、光軸Ａｘ１の方向に見て直線状に形成されている。第一傾斜エッジ６３は、左部上エッジ６２の右端から右下りに傾斜している。左部上エッジ６２と第一傾斜エッジ６３の成す角度は、例えば、１６５°又は１３５°である。第一エルボ６４は、左部上エッジ６２と第一傾斜エッジ６３との端が接続する部位である。
【００２６】
右遮光部７０は、左右方向に長尺な薄板状に設けられている。右遮光部７０の一方の面が前に向き、他方の面が後ろに向くとともに遮光板５０の前面に接触している。右遮光部７０の左端部が、光軸Ａｘ１よりも右にある回転軸７１によって遮光板５０の右上角部に連結されている。右遮光部７０が回転軸７１から左方へ延出し、回転軸７１が前後方向に対して平行に設けられ、右遮光部７０が回転軸７１を中心にして上下に揺動可能に設けられている。
【００２７】
右遮光部７０は、その上縁に、右部上エッジ７２、第二傾斜エッジ７３及び第二エルボ７４を有する。右部上エッジ７２が、反射面２１の光軸Ａｘ１の右側において左右方向に延びているとともに、光軸Ａｘ１の方向に見て直線状に形成されている。第二傾斜エッジ７３は、右部上エッジ７２の左端から左下りに傾斜している。右部上エッジ７２と第二傾斜エッジ７３の成す角度は、例えば、１６５°又は１３５°である。第二エルボ７４は、右部上エッジ７２と第二傾斜エッジ７３との端が接続する部位である。
【００２８】
左遮光部６０と右遮光部７０は左右にオーバーラップしている。つまり、左遮光部６０は右遮光部７０の左先端から右に延び出ているとともに、右遮光部７０は左遮光部６０の右先端から左に延び出ていて、左遮光部６０の右部と右遮光部７０の左部が前後に重なっている。
【００２９】
左遮光部６０の右部の前面には、段部６５が凹設されており、その段部６５における前後厚が他の部分の前後厚よりも薄くなっている（例えば、他の部分の前後厚の半分である）。一方、右遮光部７０の左部の後面には、段部７５が凹設されており、その段部７５における前後厚が他の部分の前後厚よりも薄くなっている（例えば、他の部分の前後厚の半分である）。左遮光部６０の段部６５と右遮光部７０の段部７５が前後に重なっている。段部６５，７５同士が重なっているので、遮光部６０，７０が互いに干渉せずに上下に起伏できるようになっている。また、遮光部６０，７０は段部６５，７５以外の部分で強度を保っている。
【００３０】
遮光板５０の前面には、第一ストッパ６９が凸設されている。第一ストッパ６９は、光軸Ａｘ１よりも右に配置されているとともに、左遮光部６０の右端部よりも上に配置されている。左遮光部６０が回転軸６１を中心にして振り上げられると、左遮光部６０の右端部が第一ストッパ６９に当接し、これにより左遮光部６０のそれ以上の振り上げが制限される。逆に、左遮光部６０が回転軸６１を中心にして振り下げられると、左遮光部６０の右端部が第一ストッパ６９から離れる。
【００３１】
左遮光部６０が第一ストッパ６９に当接した状態にあっては、左遮光部６０が遮光板５０の上縁５１から上に突き出た状態にある（図３参照）。このように左遮光部６０が突出状態にある場合には、第一エルボ６４が遮光板５０の上縁５１よりも上に突き出ているとともに、左部上エッジ６２が遮光板５０の上縁５１の上において上縁５１に対して平行になっている。
また、左遮光部６０が突出状態にある場合には、光軸Ａｘ１の方向に見て、第一傾斜エッジ６３が遮光板５０の上縁５１に対して所定角度θで交差している（図５参照）。角度θは、１５°又は４５°であることが好ましい。
また、左遮光部６０が突出状態にある場合には、左部上エッジ６２の上下位置は光軸Ａｘ１に揃っているか、又は光軸Ａｘ１よりも僅かに上にある。
また、左遮光部６０が突出状態にある場合には、第一エルボ６４の上下位置が光軸Ａｘ１に揃っているか、光軸Ａｘ１よりも上にある。
また、左遮光部６０が突出状態にある場合には、第一エルボ６４の左右位置が光軸Ａｘ１に揃っていることが好ましい。
【００３２】
遮光板５０の前面には、第二ストッパ７９が凸設されている。第二ストッパ７９は、光軸Ａｘ１よりも左に配置されているとともに、右遮光部７０の左端部よりも上に配置されている。右遮光部７０が回転軸７１を中心にして振り上げられると、右遮光部７０の左端部が第二ストッパ７９に当接し、これにより右遮光部７０のそれ以上の振り上げが制限される。逆に、右遮光部７０が回転軸７１を中心にして振り下げられると、右遮光部７０の左端部が第二ストッパ７９から離れる。
【００３３】
右遮光部７０が第二ストッパ７９に当接した状態にあっては、右遮光部７０が遮光板５０の上縁５１から上に突き出た状態にある（図２参照）。このように右遮光部７０が突出状態にある場合には、第二エルボ７４が遮光板５０の上縁５１よりも上に突き出ているとともに、右部上エッジ７２が遮光板５０の上縁５１の上において上縁５１に対して平行になっている。また、左遮光部６０が突出状態にある場合には、光軸Ａｘ１の方向に見て、第一傾斜エッジ６３が遮光板５０の上縁５１に対して所定角度（例えば、１５°又は４５°）で交差している。また、右遮光部７０が突出状態にある場合には、右部上エッジ７２の上下位置は光軸Ａｘ１に揃っているか、又は光軸Ａｘ１よりも僅かに上にある。また、右遮光部７０が突出状態にある場合には、第二エルボ７４の上下位置が光軸Ａｘ１に揃っているか、光軸Ａｘ１よりも上にある。また、右遮光部７０が突出状態にある場合には、第二エルボ７４の左右位置が光軸Ａｘ１に揃っていることが好ましい。
【００３４】
シェード装置４０は、遮光部６０，７０を上下に揺動する駆動機構８０を更に有する。この駆動機構８０は、楕円カム８１、ソレノイド８２及びバネ８３，８４を有する。楕円カム８１が遮光板５０に前面に取り付けられており、楕円カム８１の重心が回転軸となって、楕円カム８１が遮光板５０に対してその回転軸回りに回転可能に設けられている。楕円カム８１は、左遮光部６０と右遮光部７０が互いに重なり合った部分の下に配置されている。具体的には、楕円カム８１の回転軸が光軸Ａｘ１、エルボ７３，７４よりも下に配置されている。
【００３５】
左遮光部６０の右部が楕円カム８１の上から楕円カム８１の右半分の外周面に接している。右遮光部７０の左部が楕円カム８１の上から楕円カム８１の左半分の外周面に接している。楕円カム８１は、その回転軸を中心に回転することによって、遮光部６０，７０を上下に揺動するものである。
【００３６】
バネ８３の一端が回転軸６１よりも右側において左遮光部６０に連結され、バネ８３の他端が左遮光部６０の下側で遮光板５０に連結されている。バネ８３は下向きの付勢力を左遮光部６０に与えるものであり、バネ８３の付勢力によって左遮光部６０が楕円カム８１の外周面に常に接している。
【００３７】
バネ８４の一端が回転軸７１よりも左側において右遮光部７０に連結され、バネ８４の他端が右遮光部７０の下側で遮光板５０に連結されている。バネ８４は下向きの付勢力を右遮光部７０に与えるものであり、バネ８４の付勢力によって右遮光部７０が楕円カム８１の外周面に常に接している。
【００３８】
ソレノイド８２は、楕円カム８１を回転させるものである。ソレノイド８２のプランジャがリンク８５の一端に回転可能に連結され、リンク８５の他端が楕円カム８１に回転可能に連結されている。リンク８５と楕円カム８１の連結部は楕円カム８１の回転軸からずれており、具体的には、その連結部が楕円カム８１の回転軸から左にずれている。ソレノイド８２は例えば遮光板５０又はハウジングに固定されている。ソレノイド８２のプランジャが上に進出することによって、楕円カム８１の長径が右下りに傾斜し（図２参照）、ソレノイド８２のプランジャが下に引き込むことによって、楕円カム８１の長径が左下りに傾斜する（図３参照）。なお、楕円カム８１を回転させるための動力源がソレノイド８２に限るものではなく、モータであってもよいし、ピエゾ素子であってもよいし、その他の動力源であってもよい。
【００３９】
プロジェクタ型前照灯１及びシェード装置４０の動作について説明する。
ソレノイド８２のプランジャが上に進出すると、図２、図３の方向に見て楕円カム８１が反時計回りに回転し、楕円カム８１の長径が左上がりに傾斜する。そうすると、楕円カム８１によって右遮光部７０の左部がバネ８４に抗して押し上げられ、右遮光部７０が回転軸７１を中心にして振り上げられ、右遮光部７０が遮光板５０の上縁５１から上に突き出る。同時に、左遮光部６０は、バネ８３の付勢力によって楕円カム８１の外周面に押し付けられた状態で回転軸６１を中心にして振り下げられ、左遮光部６０が遮光板５０の上縁５１から下に引き込む。
その後、右遮光部７０の左端部が第二ストッパ７９に当接すると、ソレノイド８２が止まる（図２参照）。ソレノイド８２が止まることによって、図２の状態が保たれる。
【００４０】
図２の状態では、右遮光部７０が上述のように突出状態に保たれているとともに、左遮光部６０が遮光板５０の上縁５１から下に引き込んだ状態に保たれている。このように左遮光部６０が引込状態にある場合には、第一エルボ６４が遮光板５０の上縁５１よりも下に位置しているとともに、第一傾斜エッジ６３の全体が遮光板５０の上縁５１よりも下に位置している。
【００４１】
ソレノイド８２のプランジャが下に引き込むと、楕円カム８１が時計回りに回転し、楕円カム８１の長径が右上がりに傾斜する。そうすると、楕円カム８１によって左遮光部６０の右部がバネ８３に抗して押し上げられ、左遮光部６０が回転軸７１を中心にして振り上げられ、左遮光部６０が遮光板５０の上縁５１から上に突き出る。同時に、右遮光部７０は、バネ８４の付勢力によって楕円カム８１の外周面に押し付けられた状態で回転軸７１を中心にして振り下げられ、右遮光部７０が遮光板５０の上縁５１から下に引き込む。
その後、左遮光部６０の右端部が第一ストッパ６９に当接すると、ソレノイド８２が止まる（図３参照）。ソレノイド８２が止まることによって、図３の状態が保たれる。
【００４２】
図３の状態では、左遮光部６０が上述のように突出状態に保たれているとともに、右遮光部７０が遮光板５０の上縁５１から下に引き込んだ状態に保たれている。このように左遮光部６０が引込状態にある場合には、第二エルボ７４が遮光板５０の上縁５１よりも下に位置しているとともに、第二傾斜エッジ７３の全体が遮光板５０の上縁５１よりも下に位置している。
【００４３】
このプロジェクタ型前照灯１の配光パターンについて図６を参照して説明する。図６は、プロジェクタ型前照灯１によって前方に所定距離離れた仮想スクリーンに形成される配光パターンを示した図である。図６において、Ｈ線は光軸Ａｘ１を通る水平面と仮想スクリーンの交線を表し、Ｖ線は光軸Ａｘ１を通る鉛直面と仮想スクリーンの交線を表し、横軸は光軸Ａｘ１から左右方向への角度を表し、縦軸は光軸Ａｘ１から上下方向への角度を表す。
【００４４】
図６において、実線は、シェード装置４０が図２の状態にある場合に、プロジェクタ型前照灯１によって仮想スクリーンに形成される明部と暗部を区切る境界線（カットオフライン）を表す。実線の上が暗部であり、実線の下が明部である。
【００４５】
図２に示すように、右遮光部７０が突出状態にあり、且つ、左遮光部６０が引込状態にある場合には、反射面２１で反射した反射光が主に遮光板５０及び右遮光部７０によって遮光される。そのため、図６に示す実線のようなカットオフラインを明部の上縁に有する右側通行用のすれ違い配光パターンが仮想スクリーンに形成される。実線のカットオフラインは、Ｖ線よりも右側の自車線側水平カットオフラインＣＴ１と、Ｖ線よりも左側の対向車線側水平カットオフラインＣＴ２と、対向車線側水平カットオフラインＣＴ２の右端から右上がりに傾斜した斜めカットオフラインＣＴ３と、自車線側水平カットオフラインＣＴ１の右端から右下りに傾斜したカットオフラインＣＴ４とから構成される。自車線側水平カットオフラインＣＴ１は、遮光板５０の上縁５１によって形成される。対向車線側水平カットオフラインＣＴ２は、右遮光部７０の右部上エッジ７２によって形成される。斜めカットオフラインＣＴ３は、第二傾斜エッジ７３によって形成される。左遮光部６０の左部上エッジ６２が遮光板５０の上縁５１に対して傾斜し、左部上エッジ６２の一部が遮光板５０の上縁５１よりも上にあるから、その部分によってカットオフラインＣＴ４が形成されるが、このカットオフラインＣＴ４が形成されても、規格に適合している。第二エルボ７４の左右位置が光軸Ａｘ１に揃っているから、対向車線側水平カットオフラインＣＴ２と斜めカットオフラインＣＴ３の交差部がＶ線に重なっている。
【００４６】
図６において、二点鎖線は、シェード装置４０が図３の状態にある場合に、プロジェクタ型前照灯１によって仮想スクリーンに形成される明部と暗部を区切る境界線（カットオフライン）を表す。二点鎖線の上が暗部であり、二点鎖線の下が明部である。
【００４７】
図３に示すように、左遮光部６０が突出状態にあり、且つ、右遮光部７０が引込状態にある場合には、反射面２１で反射した反射光が主に遮光板５０及び左遮光部６０によって遮光される。そのため、図６に示す二点鎖線のようなカットオフラインを明部の上縁に有する左側通行用のすれ違い配光パターンが仮想スクリーンに形成される。二点鎖線のカットオフラインは、Ｖ線よりも左側の自車線側水平カットオフラインＣＴ５と、Ｖ線よりも右側の対向車線側水平カットオフラインＣＴ６と、対向車線側水平カットオフラインＣＴ６の左端から左上がりに傾斜した斜めカットオフラインＣＴ７と、自車線側水平カットオフラインＣＴ５の左端から左下りに傾斜したカットオフラインＣＴ８とから構成される。自車線側水平カットオフラインＣＴ５は、遮光板５０の上縁５１によって形成される。対向車線側水平カットオフラインＣＴ６は、左遮光部６０の左部上エッジ６２によって形成される。斜めカットオフラインＣＴ７は、第一傾斜エッジ６３によって形成される。右遮光部７０の右部上エッジ７２が遮光板５０の上縁５１に対して傾斜し、右部上エッジ７２の一部が遮光板５０の上縁５１よりも上にあるから、その部分によってカットオフラインＣＴ８が形成されるが、このカットオフラインＣＴ８が形成されても、規格に適合している。第一エルボ６４の左右位置が光軸Ａｘ１に揃っているから、対向車線側水平カットオフラインＣＴ６と斜めカットオフラインＣＴ７の交差部がＶ線に重なっている。
【００４８】
以上のように本実施形態によれば、右側通行用のすれ違い配光パターンから左側通行用のすれ違い配光パターンに切り替えることができるとともに、左側通行用のすれ違い配光パターンから右側通行用のすれ違い配光パターンに切り替えることができる。そのため、このプロジェクタ型前照灯１は、右側通行にも、左側通行にも用いることができる。
【００４９】
また、正面から見て、左遮光部６０と右遮光部７０が互いに左右線対称になっているから、左側通行用のすれ違い配光パターンの明るさと、右側通行用のすれ違い配光パターンの明るさがほぼ同じにすることができる。
【００５０】
〔第２の実施の形態〕
図７を参照して第２実施形態について説明する。図７は、第２実施形態におけるシェード装置４０Ａの正面図である。シェード装置４０Ａの構成要素のうち、第１実施形態のシェード装置４０の各部に対応する部分には、同一の符号を付す。また、以下に説明することを除いて第２実施形態のシェード装置４０Ａと第１実施形態のシェード装置４０は同様に設けられている。
【００５１】
このシェード装置４０Ａは、第１実施形態のシェード装置４０に代えてプロジェクタ型前照灯１に設けられるものである。第１実施形態のシェード装置４０では、楕円カム８１を用いて単一の動力源（ソレノイド８２）によって遮光部６０，７０を上下に揺動していたが、第２実施形態のシェード装置４０Ａでは、２つの動力源によって遮光部６０，７０を個別に上下に揺動するようになっている。
【００５２】
つまり、このシェード装置４０Ａの駆動機構８０Ａは、２つのソレノイド８２Ａ，８３Ａを有する。
ソレノイド８２Ａは左遮光部６０を上下に揺動するものである。ソレノイド８２Ａのプランジャがリンク８４Ａの一端に回転可能に連結され、リンク８４Ａの他端が左遮光部６０に回転可能に連結されている。リンク８４Ａと左遮光部６０の連結部は回転軸６１よりも右側であってもよいし、左側であってもよい。
ソレノイド８３Ａは右遮光部７０を上下に揺動するものである。ソレノイド８３Ａのプランジャがリンク８５Ａの一端に回転可能に連結され、リンク８５Ａの他端が右遮光部７０に回転可能に連結されている。リンク８５Ａと右遮光部７０の連結部は回転軸７１よりも右側であってもよいし、左側であってもよい。
なお、遮光部６０，７０を上下に揺動するための動力源がソレノイド８２Ａ，８３Ａに限るものではなく、モータであってもよいし、ピエゾ素子であってもよいし、その他の動力源であってもよい。
【００５３】
このシェード装置４０Ａでは、第三ストッパ８６Ａが遮光板５０の前面に凸設されている。第三ストッパ８６Ａは光軸Ａｘ１及び遮光部６０，７０よりも下に配置されている。第三ストッパ８６Ａの左右位置は光軸Ａｘ１に揃っている。
【００５４】
シェード装置４０Ａの動作について説明する。
左遮光部６０が突出状態にあって、右遮光部７０が引込状態にある場合には、ソレノイド８２Ａによる左遮光部６０の振り下げ動作と、ソレノイド８３Ａによる右遮光部７０の振り上げ動作とが同時であるか、又は、どちらかが先に行われる。
ここで、左遮光部６０がソレノイド８２Ａによって回転軸６１を中心にして振り下げられると、左遮光部６０が第三ストッパ８６Ａに当接し、これにより左遮光部６０のそれ以上の振り下げが制限される。左遮光部６０が第三ストッパ８６Ａに当接したら、ソレノイド８２Ａが停止する。左遮光部６０が第三ストッパ８６Ａに当接した場合には、左遮光部６０が引込状態にあり、第一エルボ６４が遮光板５０の上縁５１よりも下に位置している。ソレノイド８２Ａが停止しているので、左遮光部６０の引込状態が保たれる。
一方、右遮光部７０がソレノイド８３Ａによって回転軸７１を中心にして振り上げられると、右遮光部７０が第二ストッパ７９に当接し、その後、ソレノイド８３Ａが停止する。右遮光部７０が第二ストッパ７９に当接した場合には、右遮光部７０が突出状態にある。ソレノイド８３Ａが停止しているので、右遮光部７０の突出状態が保たれる。
左遮光部６０が引込状態であり、且つ、右遮光部７０が突出状態である場合には、図６に示す実線のカットオフラインが仮想スクリーンに形成される。
【００５５】
なお、リレー回路がソレノイド８２Ａ，８３Ａを順序制御することによって、ソレノイド８３Ａによる右遮光部７０の振り上げ動作がソレノイド８２Ａによる左遮光部６０の振り下げ動作よりも先に行われることが好ましい。これは、明部のＶ線よりも左側の部分と、明部のＶ線よりも右側の部分が、同時にＨ線よりも上に形成されないようにするためである。つまり、図６におけるカットオフラインＣＴ１とカットオフラインＣＴ５を結んだ水平カットオフラインが配光パターンの切替時に形成されないようにして、配光パターンの切替時にグレアが発生することを抑えるためである。具体的には、ソレノイド８２Ａによる左遮光部６０の振り下げ動作が行われる前に、ソレノイド８３Ａによる右遮光部７０の振り上げ動作が行われると、遮光部６０，７０がともに突出状態になる。この状態では、光軸Ａｘ１の方向に見てエルボ６４，７４が前後に重なり、上エッジ６２，７２が揃って一直線状になっているから、図６に示すＨ線よりも下に水平カットオフライン（カットオフラインＣＴ２とカットオフラインＣＴ６を組み合わせたカットオフライン）が形成される。そのため、配光パターンの切替時のグレアの発生を抑えることができる。その後、ソレノイド８２Ａによる左遮光部６０の振り下げ動作が行われ、図６に示す実線のカットオフラインが仮想スクリーンに形成される。
【００５６】
右遮光部７０が突出状態にあって、左遮光部６０が引込状態にある場合には、ソレノイド８３Ａによる右遮光部７０の振り下げ動作と、ソレノイド８２Ａによる左遮光部６０の振り上げ動作とが同時であるか、又は、どちらかが先に行われる。
ここで、右遮光部７０がソレノイド８３Ａによって回転軸７１を中心にして振り下げられると、右遮光部７０が第三ストッパ８６Ａに当接し、これにより右遮光部７０のそれ以上の振り下げが制限される。右遮光部７０が第三ストッパ８６Ａに当接したら、ソレノイド８３Ａが停止する。右遮光部７０が第三ストッパ８６Ａに当接した場合には、右遮光部７０が引込状態にあり、第二エルボ７４が遮光板５０の上縁５１よりも下に位置している。ソレノイド８３Ａが停止しているので、右遮光部７０の引込状態が保たれる。
一方、左遮光部６０がソレノイド８２Ａによって回転軸６１を中心にして振り上げられると、左遮光部６０が第一ストッパ６９に当接し、その後、ソレノイド８２Ａが停止する。左遮光部６０が第一ストッパ６９に当接した場合には、左遮光部６０が突出状態にある。ソレノイド８２Ａが停止しているので、左遮光部６０の突出状態が保たれる。
左遮光部６０が突出状態であり、且つ、右遮光部７０が引込状態である場合には、図６に示す二点鎖線のカットオフラインが仮想スクリーンに形成される。
なお、リレー回路がソレノイド８２Ａ，８３Ａを順序制御することによって、ソレノイド８２Ａによる左遮光部６０の振り上げ動作がソレノイド８３Ａによる右遮光部７０の振り下げ動作よりも先に行われることが好ましい。具体的には、ソレノイド８３Ａによる右遮光部７０の振り下げ動作が行われる前に、ソレノイド８２Ａによる左遮光部６０の振り上げ動作が行われると、遮光部６０，７０がともに突出状態になるので、図６に示すＨ線よりも下に水平カットオフライン（カットオフラインＣＴ２とカットオフラインＣＴ６を組み合わせたカットオフライン）が形成される。その後、ソレノイド８３Ａによる右遮光部７０の振り下げ動作が行われる。
【００５７】
〔第３の実施の形態〕
図８〜図１０を参照して第３実施形態について説明する。図８〜図１０は、第３実施形態におけるシェード装置４０Ｂの正面図である。シェード装置４０Ｂの構成要素のうち、第１実施形態のシェード装置４０の各部に対応する部分には、同一の符号を付す。また、以下に説明することを除いて第３実施形態のシェード装置４０Ｂと第１実施形態のシェード装置４０は同様に設けられている。
【００５８】
このシェード装置４０Ｂは、第１実施形態のシェード装置４０に代えてプロジェクタ型前照灯１に設けられるものである。第１実施形態のシェード装置４０では、遮光部６０，７０のうち一方が駆動機構８０によって振り上げられるのと同時に他方がその駆動機構８０によって振り下げられていたが、第３実施形態のシェード装置４０Ｂでは、遮光部６０，７０のうち一方が駆動機構８０Ｂによって振り上げられた後に、他方がその駆動機構８０Ｂによって振り下げられる。
【００５９】
このシェード装置４０Ｂの駆動機構８０Ｂは、カム８１Ｂ、ソレノイド８２Ｂ及びバネ８３，８４を有する。
バネ８３，８４は、遮光部６０，７０を下に向けて付勢する。
カム８１Ｂが遮光板５０に前面に取り付けられており、カム８１Ｂが遮光板５０に対して回転可能に設けられている。カム８１Ｂは、左遮光部６０と右遮光部７０が互いに重なり合った部分の下に配置されている。具体的には、カム８１Ｂの回転軸が光軸Ａｘ１、エルボ７３，７４よりも下に配置されている。カム８１Ｂの回転軸の左右位置は、光軸Ａｘ１に揃っている。
【００６０】
カム８１Ｂは、その外周面に、カム面８６Ｂ，８７Ｂを有する。カム面８６Ｂ，８７Ｂはともにカム８１Ｂの回転軸を中心にした円弧状に形成されている。カム面８６Ｂの径は、カム面８７Ｂの径よりも大きい。
【００６１】
ソレノイド８２Ｂは、カム８１Ｂを回転させるものである。ソレノイド８２Ｂのプランジャがリンク８５Ｂの一端に回転可能に連結され、リンク８５Ｂの他端がカム８１Ｂに回転可能に連結されている。リンク８５Ｂとカム８１Ｂの連結部は、カム８１Ｂの回転軸に関してカム面８６Ｂの反対側である。なお、カム８１Ｂを回転させるための動力源がソレノイド８２Ｂに限るものではなく、モータであってもよいし、ピエゾ素子であってもよいし、その他の動力源であってもよい。
【００６２】
左遮光部６０は、その下縁に、摺接面６６Ｂ，６７Ｂを有する。摺接面６６Ｂは、左部上エッジ６２に対して平行に設けられている。摺接面６７Ｂは、摺接面６６Ｂの右端から右下りに傾斜している。
右遮光部７０は、その下縁に、摺接面７６Ｂ，７７Ｂを有する。摺接面７６Ｂは、右部上エッジ７２に対して平行に設けられている。摺接面７７Ｂは、摺接面７６Ｂの左端から左下りに傾斜している。
【００６３】
図８に示すように、ソレノイド８２Ｂのプランジャが右に進出した状態でソレノイド８２Ｂが止まっており、カム面８６Ｂが左に傾斜している。この状態では、左遮光部６０の摺接面６７Ｂがカム面８７Ｂに接触し、左遮光部６０が引込状態に保たれている。右遮光部７０の摺接面７７Ｂがカム面８６Ｂに接触し、右遮光部７０が突出状態に保たれている。従って、図８に示す状態では、図６に示す実線のカットオフラインが仮想スクリーンに形成される。
【００６４】
図８に示す状態からソレノイド８２Ｂのプランジャが左に引き込むと、カム８１Ｂが反時計回りに回転し、カム面８６Ｂが摺接面７７Ｂ及び摺接面６６Ｂに摺接し、左遮光部６０がカム面８６Ｂによって押し上げられ、右遮光部７０が突出状態を保つ。そして、図９に示すように、カム面８６Ｂが摺接面６７Ｂに接触すると、左遮光部６０が突出状態になるが、右遮光部７０は突出状態に保たれている。図９に示す状態では、光軸Ａｘ１の方向に見てエルボ６４，７４が前後に重なり、上エッジ６２，７２が揃って一直線状になっている。従って、図９に示す状態では、図６に示すＨ線よりも下に水平カットオフライン（カットオフラインＣＴ２とカットオフラインＣＴ６を組み合わせたカットオフライン）が形成される。そのため、配光パターンの切替時にグレアが発生することを抑えることができる。なお、図９に示す状態では、ソレノイド８２Ｂが停止しないことが望ましい。
【００６５】
その後、ソレノイド８２Ｂのプランジャが更に左に引き込むと、カム８１Ｂが反時計回りに回転し、カム面８６Ｂが摺接面６７Ｂ及び摺接面７６Ｂに摺接し、右遮光部７０が振り下げられ、左遮光部６０が突出状態を保つ。そして、図１０に示すように、右遮光部７０の摺接面７７Ｂがカム面８７Ｂに接触すると、右遮光部７０が引込状態になり、ソレノイド８２Ｂが止まる。左遮光部６０の摺接面６７Ｂとカム面８６Ｂが接触しているから、左遮光部６０は突出状態に保たれている。従って、図１０に示す状態では、図６に示す二点鎖線のカットオフラインが仮想スクリーンに形成される。
【００６６】
図１０に示す状態からソレノイド８２Ｂのプランジャが右に進出すると、左遮光部６０が突出状態を保った状態で、右遮光部７０が振り上げられ、図９に示す状態になる。その後、ソレノイド８２Ｂのプランジャが更に右に進出すると、右遮光部７０が突出状態を保った状態で、左遮光部６０が振り下げられ、図８に示す状態になり、ソレノイド８２Ｂが止まる。そのため、図８に示す状態が保たれる。
【００６７】
なお、ソレノイド８２Ｂがカム８１Ｂの左方に配設されていたが、カム８１Ｂの右方に配設されていてもよい。
【００６８】
〔第４の実施の形態〕
図１１〜図１２を参照して第４実施形態について説明する。図１１〜図１２は、第４実施形態におけるシェード装置４０Ｃの正面図である。シェード装置４０Ｃの構成要素のうち、第１実施形態のシェード装置４０の各部に対応する部分には、同一の符号を付す。また、以下に説明することを除いて第４実施形態のシェード装置４０Ｃと第１実施形態のシェード装置４０は同様に設けられている。
【００６９】
このシェード装置４０Ｃは、第１実施形態のシェード装置４０に代えてプロジェクタ型前照灯１に設けられるものである。第１実施形態のシェード装置４０では、楕円カム８１によってソレノイド８２の動力が遮光部６０，７０に伝動して、遮光部６０，７０が上下に揺動していたが、第４実施形態のシェード装置４０Ｂでは、リンク機構によって動力が遮光部６０，７０に伝動するようになっている。
【００７０】
このシェード装置４０Ｃの駆動機構８０Ｃは、ソレノイド８２Ｃ、バネ８３，８４及びリンク８５Ｃ〜８９Ｃを有する。
バネ８３，８４は、遮光部６０，７０を下に向けて付勢する。
ソレノイド８２Ｃのプランジャがリンク８５Ｃの一端に回転可能に連結され、リンク８５Ｃの他端がリンク８６Ｃの一端に回転可能に連結されている。リンク８６Ｃの他端が三角形状のリンク８７Ｃの第一角部に連結されている。リンク８７Ｃの第二角部がリンク８８Ｃの一端に回転可能に連結され、リンク８７Ｃの第三角部がリンク８９Ｃの一端に回転可能に連結されている。リンク８８Ｃの他端が左遮光部６０の右部に回転可能に連結されている。リンク８９Ｃの他端が右遮光部７０の左部に回転可能に連結されている。
【００７１】
図１１に示すように、ソレノイド８２Ｃのプランジャが左に引き込んだ状態でソレノイド８２Ｃが止まっており、リンク８６Ｃ，８７Ｃが左に傾いている。この状態では、左遮光部６０が引込状態に保たれているとともに、右遮光部７０が突出状態に保たれている。従って、図１１に示す状態では、図６に示す実線のカットオフラインが仮想スクリーンに形成される。
【００７２】
図１１に示す状態からソレノイド８２Ｃのプランジャが右に進出すると、リンク８６Ｃ，８７Ｃが右に傾く。これにより、左遮光部６０がバネ８３の付勢力に抗して引込状態から突出状態に駆動され、それと同時に、右遮光部７０が突出状態から引込状態に駆動される。そして、ソレノイド８２Ｃが停止し、左遮光部６０が突出状態に保たれるとともに、右遮光部７０が引込状態に保たれる（図１２参照）。従って、図１２に示す状態では、図６に示す二点鎖線のカットオフラインが仮想スクリーンに形成される。
【００７３】
図１２に示す状態からソレノイド８２Ｃのプランジャが左に引き込むと、リンク８６Ｃ，８７Ｃが左に傾く。これにより、左遮光部６０が突出状態から引込状態に駆動され、それと同時に、右遮光部７０がバネ８４の付勢力に抗して引込状態から突出状態に駆動される。そして、ソレノイド８２Ｃが停止し、左遮光部６０が引込状態に保たれるとともに、右遮光部７０が突出状態に保たれる（図１１参照）。
【００７４】
なお、ソレノイド８２Ｃがリンク８７Ｃの左方に配設されていたが、リンク８７Ｃの右方に配設されていてもよい。
【００７５】
〔第５の実施の形態〕
図１３〜図１８を参照して第５実施形態について説明する。図１３、図１５、図１７は、第４実施形態におけるシェード装置４０Ｄの正面図である。図１４、図１６、図１８は、シェード装置４０Ｄの一部を拡大して示した正面図である。シェード装置４０Ｄの構成要素のうち、第１実施形態のシェード装置４０の各部に対応する部分には、同一の符号を付す。また、以下に説明することを除いて第５実施形態のシェード装置４０Ｄと第１実施形態のシェード装置４０は同様に設けられている。
【００７６】
このシェード装置４０Ｄは、第１実施形態のシェード装置４０に代えてプロジェクタ型前照灯１に設けられるものである。第１実施形態のシェード装置４０では、楕円カム８１の回転によって遮光部６０，７０を上下に揺動していたが、第５実施形態のシェード装置４０Ｄでは、スライダ８６Ｄの摺動によって遮光部６０，７０を上下に揺動するようになっている。
【００７７】
このシェード装置４０Ｄの駆動機構８０Ｄは、ソレノイド８２Ｄ、バネ８３，８４、スライダ８６Ｄ及びレール８７Ｄを有する。
レール８７Ｄは、左遮光部６０と右遮光部７０が互いに重なり合った部分の下において遮光板５０の前面に取り付けられている。レール８７Ｄは、左右に延在している。スライダ８６Ｄがレール８７Ｄに取り付けられている。このスライダ８６Ｄは、レール８７Ｄに沿って左右方向にスライド可能に設けられている。
【００７８】
一方、左遮光部６０の右端部の下縁には、凸部６８Ｄが凸設されている。右遮光部７０の左端部の下縁には、凸部７８Ｄが凸設されている。凸部６８Ｄの下端面が左部上エッジ６２に対して平行に設けられ、凸部７８Ｄの下端面が右部上エッジ７２に対して平行に設けられている。凸部６８Ｄ，７８Ｄが左右にオーバーラップしており、凸部６８Ｄの左部と凸部７８Ｄの右部が前後に重なっている。
【００７９】
バネ８３によって左遮光部６０が下に向けて付勢され、左遮光部６０の下縁がスライダ８６Ｄに常に接するようになっている。また、バネ８４によって右遮光部７０が下に向けて付勢され、右遮光部７０の下縁がスライダ８６Ｄに常に接するようになっている。
【００８０】
ソレノイド８２Ｄは、スライダ８６Ｄを左右にスライドさせるものである。ソレノイド８２Ｄのプランジャがリンク８５Ｄの一端に回転可能に連結され、リンク８５Ｄの他端がスライダ８６Ｄに回転可能に連結されている。ソレノイド８２Ｄがスライダ８６Ｄの右方に配設されている。図１４，図１６，図１８では、図面を見やすくするために、リンク８５Ｄの図示を省略する。
なお、ソレノイド８２Ｄがスライダ８６Ｄの左方に配設されていてもよい。また、スライダ８６Ｄをスライドさせるための動力源がソレノイド８２Ｄに限るものではなく、モータであってもよいし、ピエゾ素子であってもよいし、その他の動力源であってもよい。
【００８１】
図１３、図１４に示すように、ソレノイド８２Ｄのプランジャが左に進出した状態でソレノイド８２Ｄが停止している場合には、スライダ８６Ｄがレール８７Ｄの左端部に位置している。この状態においては、右遮光部７０の凸部７８Ｄがスライダ８６Ｄ上に載置されており、右遮光部７０が突出状態に保たれている。一方、スライダ８６Ｄが左遮光部６０の凸部６８Ｄの左方に位置しており、左遮光部６０の下縁のうち凸部６８Ｄよりも左側の部分がスライダ８６Ｄ上に載置されており、左遮光部６０が引込状態に保たれている。従って、図６に示す実線のカットオフラインが仮想スクリーンに形成される。
【００８２】
図１３、図１４に示す状態からソレノイド８２Ｄのプランジャが右に引き込むと、スライダ８６Ｄがレール８７Ｄに沿って右にスライドする。スライダ８６Ｄが右にスライドすると、凸部７８Ｄがスライダ８６Ｄ上に載置された状態で、スライダ８６Ｄと凸部７８Ｄが摺接するので、右遮光部７０が突出状態に保たれる。そして、左遮光部６０の凸部６８Ｄがスライダ８６Ｄ上に乗り上げると、左遮光部６０が振り上げられて、突出状態になる（図１５、図１６参照）。図１５、図１６に示す状態では、凸部６８Ｄ，７８Ｄが共にスライダ８６Ｄ上に載置されているから、遮光部６０，７０がともに突出状態にあり、光軸Ａｘ１の方向に見てエルボ６４，７４が前後に重なり、上エッジ６２，７２が揃って一直線状になっている。従って、図１５，１６に示す状態では、図６に示すＨ線よりも下に水平カットオフライン（カットオフラインＣＴ２とカットオフラインＣＴ６を組み合わせたカットオフライン）が形成される。そのため、配光パターンの切替時にグレアが発生することを抑えることができる。なお、図１５，１６に示す状態では、ソレノイド８２Ｂが停止しないことが望ましい。
【００８３】
その後、図１５、図１６に示す状態からソレノイド８２Ｄのプランジャが更に右に引き込むと、スライダ８６Ｄがレール８７Ｄに沿って右にスライドする。ここで、スライダ８６Ｄが右にスライドすると、スライダ８６Ｄが凸部７８Ｄの右方に位置し、凸部７８Ｄがスライダ８６Ｄから外れるので、右遮光部７０が突出状態から引込状態に振り下げられる。一方、スライダ８６Ｄが右にスライドしても、凸部６８Ｄがスライダ８６Ｄ上に載置された状態であるから、左遮光部６０が突出状態に保たれる。
そして、スライダ８６Ｄがレール８７Ｄの右端に位置したら、ソレノイド８２Ｄが止まる（図１７、図１８参照）。ソレノイド８２Ｄが止まっているから、図１７、図１８に示すように、左遮光部６０の突出状態が保たれ、右遮光部７０の引込状態が保たれる。従って、図６に示す二点鎖線のカットオフラインが仮想スクリーンに形成される。
【００８４】
図１７、図１８に示す状態からソレノイド８２Ｄのプランジャが左に進出すると、左遮光部６０が突出状態を保った状態で、右遮光部７０が振り上げられ、図１５，図１６に示す状態になる。その後、ソレノイド８２Ｄのプランジャが更に左に進出すると、右遮光部７０が突出状態を保った状態で、左遮光部６０が振り下げられ、図１３，図１４に示す状態になり、ソレノイド８２Ｂが止まる。そのため、図１３，図１４に示す状態が保たれる。
【００８５】
〔変形例〕
本発明を適用可能な実施形態は、上述した各実施形態に限定されることなく、本発明の趣旨を逸脱しない範囲で適宜変更可能である。以下、幾つかの変形例を挙げる。以下に挙げる変形例は、上記第１〜第５実施形態の何れを変形したものでもよい。また、以下に挙げる変形例は、可能な限り組み合わせてもよい。
【００８６】
〔変形例１〕
図１９に示すように、遮光板５０、左遮光部６０及び右遮光部７０が第二焦点Ｆ２に係る焦線に沿うように湾曲していてもよい。
【００８７】
〔変形例２〕
遮光部６０，７０が遮光板５０の前面に配設されていたが、遮光部６０，７０が遮光板５０の後面に配設されていてもよい。また、遮光部６０，７０のうち一方が遮光板５０の前面に配設され、他方が遮光板５０の後面に配設されていてもよい。
【００８８】
〔変形例３〕
上記各実施形態では、遮光板５０が固定されていたが、遮光板５０が上下に移動可能に設けられていてもよい。遮光板５０が上昇して、遮光板５０の上縁５１が光軸Ａｘ１に揃った位置か、又は光軸Ａｘ１よりも僅かに下の位置に停止した場合、上記各実施形態のようにすれ違い配光パターン（つまり、ロービーム用の配光パターン）が形成される。一方、遮光板５０が下降して、遮光板５０の上縁５１が反射面２１による反射光の照射範囲の下方に停止した場合には、反射面２１による反射光が遮光板５０によって遮光されないから、ハイビーム用の配光パターンが形成される。遮光部６０，７０やそれらを駆動する駆動機構８０，８０Ａ，８０Ｂ，８０Ｃ，８０Ｄは遮光板５０とともに上下動する。遮光板５０の上下動は、昇降用の駆動装置（例えば、ソレノイド、モータ等）によって行われる。
【００８９】
〔変形例４〕
遮光部６０，７０は回転軸６１，７１を中心にして上下に回転可能に設けられていたが、遮光部６０，７０が上下に平行移動可能に設けられていてもよい。例えば、ガイドレールが遮光板５０の前面に取り付けられ、ガイドレールが上下に延在しており、遮光部６０，７０がガイドレールに沿って上下方向にスライド可能に設けられている。左遮光部６０がガイドレールの上端に位置した場合には、左遮光部６０が上述のように突出状態にある。そして、左遮光部６０がその位置から下に平行移動し、左遮光部６０の左部上エッジ６２が遮光板５０の上縁５１に揃うか、その上縁５１よりも下に位置したら、左遮光部６０が引込状態になり、左遮光部６０が止まる。右遮光部７０についても同様である。
【００９０】
〔変形例５〕
上記各実施形態では、遮光部６０，７０が駆動機構８０，８０Ａ，８０Ｂ，８０Ｃ，８０Ｄによって上下に揺動されていたが、遮光部６０，７０が手動によって上下に動かされるようにしてもよい。この場合、遮光部６０，７０を突出状態や引込状態にロックするロック機構を設けるとよい。
【符号の説明】
【００９１】
２０  リフレクタ
２１  反射面
３０  投影レンズ
４０  シェード装置
５０  遮光板
５１  上縁
６０  左遮光部
６２  左部上エッジ
６３  第一傾斜エッジ
７０  右遮光部
７２  右部上エッジ
７３  第二傾斜エッジ
８０、８０Ａ、８０Ｂ、８０Ｃ、８０Ｄ  駆動機構
【図１】
2011082002.tif 000003
【図２】
2011082002.tif 000004
【図３】
2011082002.tif 000005
【図４】
2011082002.tif 000006
【図５】
2011082002.tif 000007
【図６】
2011082002.tif 000008
【図７】
2011082002.tif 000009
【図８】
2011082002.tif 000010
【図９】
2011082002.tif 000011
【図１０】
2011082002.tif 000012
【図１１】
2011082002.tif 000013
【図１２】
2011082002.tif 000014
【図１３】
2011082002.tif 000015
【図１４】
2011082002.tif 000016
【図１５】
2011082002.tif 000017
【図１６】
2011082002.tif 000018
【図１７】
2011082002.tif 000019
【図１８】
2011082002.tif 000020
【図１９】
2011082002.tif 000021